(57)【要約】【課題】天板を前脚に対して係合させて天板を水平姿勢にロックする折り畳み式テーブルにおいて、レバー部材操作の容易性と天板を水平姿勢に保持する安全性とを向上させる。【解決手段】天板１の下面にフロントブラケット１７を設け、フロントブラケット１７にレバー部材１８を水平回動自在に装着している。天板１を水平に倒すと、フロントブラケット１７に内蔵したロック体が前脚４に係合して水平姿勢に保持される。レバー部材１８を手前に水平回動させるとロックが解除されて、天板１は、リアフレーム７に内蔵したトーションバーによって跳ね上がる。レバー部材１８は、天板１の前端縁に上から親指を当てた状態で手前に引き操作できるため、操作性と天板１の制動性とに優れている。レバー部材１８はテーブルの使用者の足で突き上げられても回動はしないため、安全性にも優れている。【選択図】図３
2015104517.tif 000002
【特許請求の範囲】
【請求項１】
天板とこれを支える脚装置とを備えており、前記天板はその後部を中心にして前端が跳ね上げ回動させ得るように前記脚装置に連結されている一方、前記脚装置は、前記天板を跳ね上げると前後にスタッキングできる形態であり、前記天板は、ロック装置によって水平状態に保持される構成であって、
天板の前端縁の近傍に、前記ロック装置のロックを解除するレバーが、当該レバーが前記天板の下面に沿って動くこと前記ロック装置のロックが解除されるように設けられている、  
テーブル。
【請求項２】
前記天板は、トーションバー又はその他のばね手段によって跳ね上げ回動方向に付勢されている、
請求項１に記載したテーブル。
【請求項３】
前記レバーは、前記天板の下面と前記脚装置の上端部との間に設けられている、
請求項１または２に記載したテーブル。
【請求項４】
前記レバーは、前記ロック装置のロックを解除して前記天板を跳ね上げ回動させたときに天板の側に位置するように設けている、
請求項１〜３のうちのいずれかに記載したテーブル。
【請求項５】
前記レバーは、人が天板の前端縁に手を当てた状態で手前に引くことでロック解除姿勢と成し得る水平回動式又は前後スライド式である、
請求項１〜４のうちのいずれかに記載したテーブル。
【請求項６】
前記レバーは、平面視で、ロック姿勢態のときには全体が天板の下方に隠れて、ロック解除姿勢では一部又は全部が天板の手前にはみ出すように設けている、
請求項１〜５のうちのいずれに記載したテーブル。
【請求項７】
左右のレバーを、左右脚の左右内側に位置する状態で配置しており、左右レバーを操作して左右のロック装置を解除することで前記天板が跳ね上げ回動される、
請求項１〜６のうちいずれかに記載したテーブル。
【発明の詳細な説明】
【技術分野】
【０００１】
本願発明は、跳ね上げ回動式の天板を備えていて前後にスタッキング可能なテーブル（折り畳み式テーブル）に関するものである。
【背景技術】
【０００２】
天板を跳ね上げ回動させると前後にスタッキングできるテーブルの例として、本願出願人は、特許文献１において、天板の後端部を脚装置に回動自在に連結して、天板の前端寄り部位と脚装置の前端部とをロック装置にて連結し、脚装置に設けたレバーをプッシュ操作するとロックか解除される構成を開示した。
【先行技術文献】
【特許文献】
【０００３】
【特許文献１】特許第４４４２３７９号公報
【発明の概要】
【発明が解決しようとする課題】
【０００４】
この特許文献１のテーブルは、天板を水平姿勢に倒した状態に保持するロック装置を備えているため、天板を跳ね上げ回動させるばね手段を設けていても天板を水平姿勢に確実に保持できて、操作性と安全性とに優れている利点がある。
【０００５】
本願発明はこの特許文献１の基本構成を踏襲しつつ、操作性や安全性をより一層向上させることを課題とするものである。
【課題を解決するための手段】
【０００６】
本願発明は様々の構成を含んでおり、その例を各請求項で特定している。この請求項１の発明は上位概念を成すもので、天板とこれを支える脚装置とを備えており、前記天板はその後部を中心にして前端が跳ね上げ回動させ得るように前記脚装置に連結されている一方、前記脚装置は、前記天板を跳ね上げると前後にスタッキングできる形態であり、前記天板は、ロック装置によって水平状態に保持される構成において、天板の前端縁の近傍に、前記ロック装置のロックを解除するレバーが、当該レバーが前記天板の下面に沿って動くこと前記ロック装置のロックが解除されるように設けられている。
【０００７】
請求項２の発明は、請求項１において、前記天板は、トーションバー又はその他のばね手段によって跳ね上げ回動方向に付勢されている。また、請求項３の発明は、請求項１又は２において、前記レバーは、前記天板の下面と前記脚装置の上端部との間に設けられている。
【０００８】
請求項４の発明は、請求項１〜３のうちのいずれにかおいて、前記レバーは、前記ロック装置のロックを解除して前記天板を跳ね上げ回動させたときに天板の側に位置するように設けている。
【０００９】
請求項５の発明は、請求項１〜４のうちのいずれかにおいて、前記レバーは、人が天板の前端縁に手を当てた状態で手前に引くことでロック解除姿勢と成し得る水平回動式又は前後スライド式になっている。
【００１０】
請求項６の発明は、請求項１〜５のうちのいずれかにおいて、前記レバーは、平面視で、ロック姿勢態のときには全体が天板の下方に隠れて、ロック解除姿勢では一部又は全部が天板の手前にはみ出すように設けている。
【００１１】
請求項７の発明は、請求項１〜６のうちのいずれかにおいて、左右のレバーを、少なくとも指部が左右脚の左右内側に位置する状態で配置しており、左右レバーを操作して左右のロック装置を解除することで前記天板が跳ね上げ回動される。
【発明の効果】
【００１２】
本願発明では、レバーを天板の下面部に配置しているため、天板を跳ね上げるに際しては、人は屈み込むような姿勢を採ることなく普通に立った状態でレバーに指先を掛けることができる。このため、天板の跳ね上げ作業の作業性に優れている。
【００１３】
特に、請求項5 のように天板の前端縁に手当てた状態でレバーを操作できる構成を採用すると、レバーに力を掛け易いためレバーの操作性に一層優れているのみならず、いわば天板の前端縁を手で掴んだような状態でレバーを操作できるため、請求項２のようにばね手段を設けていても、天板の動きを確実に制御できて安全性に優れている。また、請求項4 の構成でも、レバーの操作と天板の持ち上げ操作とを一連に無理なく行えるため( 天板とレバーとを一緒に掴んだ状態で天板を回動操作できる) 、操作性と安全性( 制動性) とに優れており、請求項2 のようにばね手段を設けた場合に好適である。
【００１４】
また、テーブルの使用者の足がレバーに下から当たることが有り得るが、レバーは天板の下面に沿って水平方向に動くことでロックが解除されるため、レバーに人の足が下から当たってもロックが解除されることはなくて、安全性も向上できる。
【００１５】
請求項２のようにばね手段を設けると、特許文献１と同様に天板の跳ね上げ作業に際して人の負担を軽減できる。
請求項3 の構成を採用すると、レバーをできるだけ天板の下面に近付けて、人のか足が当たることを抑制できる。また、請求項6 の構成では、ロック状態でレバーが邪魔になることを防止しつつ、指先を過度に天板の奥側に差し込むことなく、レバーを簡単に操作できる。
【００１６】
請求項7 の発明では、左右のレバー操作によって初めて天板を跳ね上げできるため安全性に優れているが、左右のレバーは左右脚の内側に位置しているため、人は手を左右脚の箇所まで伸ばすことなくレバーを操作できる。このため、操作性に優れている。
【図面の簡単な説明】
【００１７】
【図１】実施形態に係るテーブルの外観図であり、（Ａ）は手前から見た斜視図、（Ｂ）は後ろから見た斜視図である。
【図２】（Ａ）は分離斜視図、（Ｂ）は下方から見た斜視図である。
【図３】（Ａ）は天板を跳ね上げた状態での斜視図、（Ｂ）はレバーを手前に回動させた状態でのテーブルの斜視図、（Ｃ）はばねユニットの斜視図である。
【図４】（Ａ）（Ｂ）とも要部の分離斜視図である。
【図５】（Ａ）は要部を手前から見た斜視図、（Ｂ）はレバー付勢用ばねの斜視図、（Ｃ）は要部を後ろから見た分離斜視図である。
【図６】（Ａ）はロック装置を下方から見た分離斜視図、（Ｂ）はロック状態でのロック装置の部分的な平面図、（Ｃ）はロック装置の分離正面図、（Ｄ）は（Ｂ）のＤ−Ｄ視方向から見たロック装置の断面図である。
【図７】レバーをフリー姿勢に回動させた状態でロック装置を下方から見た分離斜視図、（Ｂ）はフリー状態でのロック装置の部分平面図、（Ｃ）はフロントブラケットとレバーとの関係を示す下方からの斜視図である。
【発明を実施するための形態】
【００１８】
(1).テーブルの概要
次に、本願発明の実施形態を図面に基づいて説明する。まず、テーブルの概要を図１〜３に基づいて説明する。テーブルは、平面視四角形（長方形）の天板１とこれを支持する脚装置２、及び、脚装置２の背面に配置した幕板３とを備えている。
【００１９】
脚装置２は、天板１のコーナー寄り部位に配置された２本ずつの前脚４及び後ろ脚５と、前脚４と後ろ脚５とをその上部において連結する前後長手のサイドフレーム６と、左右の後ろ脚５の上端に連結された左右横長のリアフレーム（軸受けフレーム）７と、左右サイドフレーム６の後端寄り部位に連結された左右横長の中間フレーム８とを備えている。
【００２０】
前脚４の左右間隔よりも上部材４ｂの左右間隔を狭くすることで、天板１を上向きに跳ね上げ回動させたらテーブルを前後にスタッキングすることができる。中間フレーム８には、金属板製のダクト板９が固定されており、ダクト板９に幕板３が固定されている。幕板３は後ろ脚５にビス等で固定してもよい。
【００２１】
各脚４，５は中空円形であり、それぞれ基部４ａ，５ａとその上端に接続した上部材４ｂ，５ｂとで構成されている。サイドフレーム７は、脚４，５の上部４ｂ，５ｂに接続されている。また、各脚４，５の下端にはキャスター１０を設けている。サイドフレーム７は中空円形で中間フレーム９は中空角形になっているが、いずれも形態は任意に設定できる。
【００２２】
天板１はリアフレーム７の左右外側に張り出しており、天板１の下面のうちリアフレーム７の左右外側に張り出した箇所に、枢支ブラケット１１をビスで固定している。図３（Ｃ）のとおり、枢支ブラケット１１にはリアフレーム７に嵌入する円形のボス体１２が形成されており、ボス体１２がリアフレーム７の内部で回転することで、天板１はリアフレーム７に回動自在に取付けられている。
【００２３】
図３（Ｃ）に示すように、ボス体１２の付け根部にはストッパーボルト１５が外側からねじ込まれており、このストッパーボルト１５の頭がリアフレーム７に設けた長穴（周方向に長い長穴）の内部で動くことで、天板１の回動角度が規制されている。
【００２４】
枢支ブラケット１１のボス体１２には、ばね手段の一例としてのトーションバーン１４の一端部が嵌入している。実施形態では４本のトーションバー１４が嵌め込まれている。各トーションバー１４は、その軸心回りに回転不能の状態でボス体１２に嵌まっている。各トーションバー１４は、リアフレーム７の内部に配置された円形の固定子１５に嵌まっており、固定子１５はボルト１６でリアフレーム７に固定されている。
【００２５】
各トーションバー１４は、固定子１５に対して、軸心回りに回転不能の状態で嵌まっている。そして、トーションバー１４の束を、図３（Ａ）に矢印Ｘで示す方向に予め捩じった状態で、枢支ブラケット１１を天板１に固定すると共に、固定子１５をリアフレーム８に固定している。このため、天板１は、トーションバー１４により、上向き跳ね上げ回動方向に付勢されている。本実施形態では、トーションバー１４のみで天板１を跳ね上げできるように設定している。天板１の跳ね上げ回動姿勢は任意に設定できるのであり、側面視で鉛直かそれに近い姿勢まで跳ね上げることも可能である。
【００２６】
天板１の下面のうち前脚４の上の箇所には、前脚４の上部材４ｂに嵌まり得るフロントブラケット１７がボルトで固定されており、フロントブラケット１７に、前脚４の軸心回りに水平回動するレバー部材１８を取付けている。レバー部材１８は指掛け部となるレバー２６を備えており、レバー２６は、前脚４から左右内側に向いており、図２（Ａ）に示すように、ロック姿勢では全体が天板１の前端縁よりも内側に入り込んで、天板１の前端縁と平行な姿勢になっている。また、左右のレバー２６は相対向した状態に配置されている。
【００２７】
他方、図３（Ｂ）のように、左右のレバー２６をその前端部が天板１の手前に露出するように引くと、ロックが解除される。その結果、天板１は図３（Ａ）のように跳ね上げ回動される。レバー２６は天板１の下面に重なるように配置されているので、レバー２６の引き操作は、親指を天板１の前端縁１ａに上から当てて、人指し指と中指と薬指とで手前に引くことで、安定的に行える。
【００２８】
この状態で天板１はその前端縁１ａが人の手で掴まれたような状態になっているので、ロック解除が解除されても天板１がいきなり跳ね上がることはなくて、動きを制御することができる。すなわち、ロックの解除と天板１の回動操作とを、天板１を掴んだような状態で一連に行える。このため、天板１の跳ね上げ回動の制動性・安全性に優れている。左右のフロントブラケット１７の間の区間には、左右横長の補強フレーム１９が設けられる。
【００２９】
例えば図５（Ｃ）に示すように、フロントブラケット１７には、位置決め用の突起１７ａを設けている。この場合、突起１７ａを隣り合った２つの側面に設けているが、これは、フロントブラケット１７を左使いと右使いとに共用するためである（従って、フロントブラケット１７は１種類で足りる。）。補強フレーム１９は天板1 のたわみ防止のためのものであり、たとえば天板１にボルト等によって固定される。なお、補強フレーム１９は、フロントブラケット１７の突起１７ａに嵌合させて連結してもよいし、連結しなくてもよい。
【００３０】
(2).ロック装置・レバー部材の詳細
次に、図４以下の図面も参照してレバー部材１８やロック装置を説明する。フロントブラケット１７は樹脂製（又はアルミダイキャスト製）であり、天板１のコーナー部寄りの箇所にボルト（図示せず）が固定されている。ボルト挿通穴を符号２１で示している。図５（Ｃ）のとおり、フロントブラケット１７には、角形の補強フレーム１９の端部が嵌まる突部２２を設けている。
【００３１】
図４，５に示すように、フロントブラケット１７はおおよそ平面視四角形に形成されており、天板１のコーナーに向いた角部に、前脚４の上面に載る下向き筒２３を前脚４と同心かつ同径の状態で設けている。下向き筒２３は上下に開口しており、この下向き筒２３に、レバー部材１８のボス部２４を上から回転可能に嵌め入れている。
【００３２】
レバー部材１８は樹脂製（アルミダイキャスト製でもあってもよい）であり、レバー部材１８におけるボス部２４の上端にはやや大径のフランジ２５を設けて、フランジ２５に既述のレバー２６が一体に形成されている。ロック状態で、レバー２６は天板１の前端縁１ａと平行に延びる左右長手の姿勢になっているが、図５（Ｃ）や図７（Ｃ）に示すように、一部がフロントブラケット１７の前部の下方に入り込んだ状態になっている。
【００３３】
なお、例えば図７（Ｃ）から理解できるように、レバー２６の下面は補強フレーム１９の下面と略同じ程度の高さになっている (従って、レバー2 6 は前脚4 の上端よりも上に位置している。) 。このため、人の足が天板１の下面に向けて動いても、足がレバー２６に当たることが補強フレーム１９によってガードされる。この点、本実施形態の利点の一つである。
【００３４】
図４（Ａ）に明示するように、フロントブラケット１７の角部には、レバー部材１８のフランジ２５が嵌まる切欠き部２７を前脚４と同心に設けており、切欠き部２７の下に下向き筒２３を設けている。
【００３５】
図５の特に（Ａ）に示すように、レバー部材１８のうちフランジ２５の内側には下向き筒２３と同心のばね受け突起２７を設け、このばね受け突起２７に、コイルの軸心回りに捩じられる捩じりコイルばね（トーションコイルばね）２８を嵌め込んでいる。捩じりコイルばね２８の上端部２８ａは左右内向きに延びていて、その先端はフロントブラケット１７に設けた係止溝２９に嵌まっている一方、下端部２８ｂは、後ろ向に延びていて後端は下向きに曲がっており、この後端がレバー部材１８に設けた穴３０に嵌まっている。既述のようにフロントブラケット１７は左使いと右使いとに共用されるので、係止溝２９も左右に２つ設けている。
【００３６】
捩じりコイルばね２８は、平面視で下方に向けて時計回りに進む姿勢になっている。このため、レバー部材１８は、捩じりコイルばね２８により、レバー２６がフロントブラケット１７に近づくようなロック姿勢に付勢されている。なお、レバー部材１８をロック姿勢に付勢するばねとしては、コイル式の圧縮ばねや引っ張りばね、或いは板ばねなどの各種のばね体を使用できる（ゴムも使用可能である。）。
【００３７】
図４に明示するように、レバー部材１８のボス部２４には、円形で下向きのガイド突起３１が設けられており、このガイド突起３１を含む部分に、略後ろ向きに開口したロック装置保持穴３２が空いている。ロック装置保持穴３２は背面視で十字状の形態であり、ガイド突起３１の下方にも貫通している。そして、ロック装置保持穴３２に、ロック装置を構成するロック体３３とこれに固定された板ばね３４とが嵌め入れられている。
【００３８】
ロック体３３は手前に向けて突出する鉤部３３ａを有する爪形であり、鉤部３３ａはガイド突起３３の箇所に位置している。また、ロック体３３の上端部は、ロック装置保持穴３２の横長部３２ａにスライド自在に嵌まる左右長手のスライドガイド部３ｂになっており、かつ、ロック体３３の背面には板ばね３４が固定されている。板ばね２４は上下に長い形態であり、上端部がビス３５でロック装置保持穴３２の前内面に固定されている。
【００３９】
従って、ロック体３３は、板ばね３４を弾性変形させることで前後方向に移動し得る。板ばね２４が弾性変形していない状態では、ロック体３３の鉤部３３ａはガイド突起３１の外側に露出しており、板ばね２４が曲がり変形すると、鉤部３３ａはガイド突起３１の内部に後退し得る。ロック体３３における鉤部３３ａの下面は、軸心から離れるほど上に向かう傾斜面になっている。
【００４０】
前脚４の上部材４ｂには、ロック装置を構成するロック受け筒３６が上から嵌め込で固定されている。ロック受け筒３６は樹脂製又はアルミダイキャスト製であり、外周に多数のフィン（環状リブ）を設けている。また、ロック受け筒３６の上端には、上部材４ｂの上端に重なる外向きフランジ３６ａと、上部材４ｂの内周面よりも内側に突出した内向きフランジ３６ｂとが形成されており、内向きフランジ３６ｂの前端部に、ロック体３３の鉤部３３ａが上下に嵌脱し得る大きさの切欠き溝３７が形成されている。
【００４１】
そして、ロック体３３の鉤部３３ａとロック受け筒３６の切欠き溝３７との位置関係を、レバー部材１８が捩じりコイルばね２８によってロック姿勢に保持された状態では、図６（Ｂ）のように鉤部３３ａが切欠き溝３７から少し外れた位置にあって、鉤部３３ａが内向きフランジ３６ｂの下方にあり、レバー２６を捩じりコイルばね２８に抗して手前に回動させたフリー姿勢では、図７（Ｂ）のように鉤部３３ａが切欠き溝３７の箇所に位置するように設定している。
【００４２】
従って、レバー部材１８がロック姿勢のときには、鉤部３３ａが内向きフランジ３６ｂに引っ掛かることで、天板１は上向きに跳ね上げ回動不能に保持されており、レバー部材１８をフリー姿勢に回動させると、鉤部３３ａがロック受け筒３６から抜け出て、天板１はトーションバー１４によって図３（Ａ）のように傾斜姿勢に跳ね上げ回動する。
【００４３】
この場合、左右のレバー２６を同時にロック解除しないと天板１は跳ね上がらないことと、既述のように、レバー２６の操作は天板１を掴んだような状態で行えることとにより、高い安全性を確保できる。
【００４４】
レバー２６の回動範囲を規制する手段としては、図４に示すように、フロントブラケット１７の下向き筒２３の上部内周面に凹溝３８を設ける一方、レバー部材１８のボス部２４には、凹溝３８の内部に入り込むストッパー突起３９を設けており、ストッパー突起３９が凹溝３８の左右内側面に当たることで、レバー２６の回動範囲が規制されている。レバー２６は、ロック姿勢ではその全体が天板1 の下方に隠れており、ロック解除姿勢 (フリー姿勢で )では、レバーの相当部分が天板1 の手前にはみ出る。従って、人は天板1 の前端縁1 a に軽く手を当てただけで、簡単にレバー２６を引き操作できる。
【００４５】
レバー２６から手を離すと、レバー２６は捩じりコイルばね２８によってロック姿勢に戻り、これにより、ロック体３３もロック姿勢に戻る。そして、その状態で天板１を水平に倒すと、ロック体３３の鉤部３３ａは、ロック受け筒３６の内向きフランジ３６ｂの縁に当たって、いったん板ばね３４の弾性に抗して後退してから前進することにより、内向きフランジ３６ｂに下方から係合する。
【００４６】
ロック体３３をロック姿勢に付勢するばね体としては、実施形態のような板ばねには限らず、コイルばねやゴムなどの様々なものを使用できる。また、ロック体３３の具体的な構造も実施形態には限らないのであり、例えば、レバー２６の回動でロック体が前脚４の係合部から後退する方式など、様々な構造を採用できる。
【００４７】
(3).その他
本願発明は上記の実施形態の他にも様々に具体化できる。例えば、実施形態ではレバー２６を前脚４の箇所に設けたが、前脚４の左右内側に寄せて配置することも可能である。この場合は、前脚４の内部に設けたロック装置とレバーとを連動させる連動手段を設けたらよい。このように連動手段を設けると、天板１の左右幅が人の両手が届かない長さであっても、一人で簡単に天板１を跳ね上げ操作できる利点がある。
【００４８】
また、上記の実施形態ではレバー２６から手を離すとロック体３３はロック姿勢に戻っているが、例えばボールキャッチのような係合手段により、レバー２６をフリー姿勢に保持できるようにすることも可能であり、この場合は、一方の前脚４のロックを解除してから他方の前脚４のロックを解除することで、左右幅が大きいテーブルであっても１人で天板１の跳ね上げ操作を行える。この場合、天板１が跳ね上がるとレバー２６は元に戻る（リセットされる）ように設定するのが好ましい。
【００４９】
また、レバー部材１８とロック体３３との間にばね式の中間部材を配置して、レバー２６をいったんフリー式に回動させると、ロック体のロックは解除されるがレバー２６はロック姿勢に戻るように設定することも可能である。この場合も、天板１が跳ね上がると、ロック体３３はロック姿勢に戻るように設定するのが好ましい。
【００５０】
脚装置はスタッキング可能であればよく、具体的な構造は任意に設定できる。従って、実施形態のような棒足方式ではなくて、左右の脚を板状に構成することなども可能である。レバー２６は脚装置に設けることも可能でてある。
【産業上の利用可能性】
【００５１】
本願発明はテーブルに具体化できる。従って、産業上利用できる。
【符号の説明】
【００５２】
１  天板
２  脚装置
４  前脚
４ｂ，５ｂ  上部材
７  リアフレーム（回動支軸）
１４  跳ね上げ用ばね手段の一例としてのトーションバー
１７  フロントブラケット
１８  レバー部材
２３  下向き筒
２４  ボス部
２６  レバー
２８  レバー部材を戻す捩じりコイルばね
３２  ロック装置保持穴
３３  ロック装置を構成するロック体（可動ロック体）
３３ｂ  鉤部
３４  ロック装置を構成する板ばね
３６  ロック装置を構成するロック受け筒（固定ロック体）
３６ｂ  内向きフランジ
３７  切欠き溝
【図１】
2015104517.tif 000003
【図２】
2015104517.tif 000004
【図３】
2015104517.tif 000005
【図４】
2015104517.tif 000006
【図５】
2015104517.tif 000007
【図６】
2015104517.tif 000008
【図７】
2015104517.tif 000009